【手続補正書】
【提出日】平成29年5月9日(2017.5.9)
【手続補正１】
【補正対象書類名】特許請求の範囲
【補正対象項目名】全文
【補正方法】変更
【補正の内容】
【特許請求の範囲】
【請求項１】
物体側から像側へ順に配置された、正の屈折力の第１レンズ群、正の屈折力の第２レンズ群、負の屈折力の第３レンズ群より構成され、フォーカシングに際して隣り合うレンズ群の間隔が変化する光学系であって、
無限遠から近距離へのフォーカシングに際して、前記第１レンズ群と前記第２レンズ群の間隔が広がるように、前記第１レンズ群及び前記第２レンズ群が物体側へ移動し、
全系の焦点距離をｆ、前記第３レンズ群の焦点距離をｆ３とするとき、
０．５＜｜ｆ３｜／ｆ＜２．５
なる条件式を満たすことを特徴とする光学系。
【請求項２】
前記第１レンズ群の焦点距離をｆ１、前記第２レンズ群の焦点距離をｆ２とするとき、１．１＜ｆ１／ｆ２＜３．０
なる条件式を満たすことを特徴とする請求項１に記載の光学系。
【請求項３】
前記第１レンズ群の焦点距離をｆ１とするとき、
０．８＜ｆ１／ｆ＜２．２
なる条件式を満たすことを特徴とする請求項１又は２に記載の光学系。
【請求項４】
前記第１レンズ群は、物体側から像側へ順に配置された、負レンズＧ１Ｆｎ、正レンズＧ１Ｆｐよりなり、前記負レンズＧ１Ｆｎの焦点距離をｆ１ｎ、前記正レンズＧ１Ｆｐの焦点距離をｆ１ｐとするとき、
０．２＜｜ｆ１ｐ／ｆ１ｎ｜＜０．７
なる条件式を満たすことを特徴とする請求項１乃至３のいずれか１項に記載の光学系。
【請求項５】
前記第３レンズ群は、前記第３レンズ群の中で最も像側に配置された負レンズＧ３Ｆｎを有し、該負レンズＧ３Ｆｎの焦点距離をｆ３ｎとするとき、
０．１＜ｆ３ｎ／ｆ３＜０．７
なる条件式を満たすことを特徴とする請求項１乃至４のいずれか１項に記載の光学系。
【請求項６】
前記第３レンズ群は、物体側から像側へ順に配置された、正レンズＧ３Ｆｐ、負レンズＧ３Ｆｎよりなり、前記正レンズＧ３Ｆｐの焦点距離をｆ３ｐ、前記負レンズＧ３Ｆｎの焦点距離をｆ３ｎとするとき、
１．４＜｜ｆ３ｐ／ｆ３ｎ｜＜２．２
なる条件式を満たすことを特徴とする請求項１乃至５のいずれか１項に記載の光学系。
【請求項７】
無限遠にフォーカスしているときの前記第３レンズ群の横倍率をβ３とするとき、
１．１＜｜β３｜＜１．７
なる条件式を満たすことを特徴とする請求項１乃至６のいずれか１項に記載の光学系。
【請求項８】
前記第３レンズ群は、前記第３レンズ群の中で最も像側に配置された負レンズＧ３Ｆｎを有し、該負レンズＧ３Ｆｎの物体側のレンズ面の曲率半径をＲ３１、像側のレンズ面の曲率半径をＲ３２とするとき、
−２．０＜（Ｒ３１＋Ｒ３２）／（Ｒ３１−Ｒ３２）＜−０．８
なる条件式を満たすことを特徴とする請求項１乃至７のいずれか１項に記載の光学系。 
【請求項９】
前記光学系は開口絞りを有し、前記光学系の結像倍率が−０．５倍のときのレンズ全長をＴＬｈ、前記光学系の結像倍率が−０．５倍のときの前記開口絞りから像面までの距離をＤＳＰｈとするとき、
０．６＜ＤＳＰｈ／ＴＬｈ＜０．９
なる条件式を満たすことを特徴とする請求項１乃至８のいずれか１項に記載の光学系。
【請求項１０】
前記第１レンズ群は、物体側から像側へ順に配置された、負レンズ、正レンズより構成されることを特徴とする請求項１乃至９のいずれか１項に記載の光学系。
【請求項１１】
前記光学系は、フォーカシングに際して前記第２レンズ群と同一の軌跡で移動する開口絞りを有することを特徴とする請求項１乃至１０のいずれか１項に記載の光学系。
【請求項１２】
前記第２レンズ群は、物体側から像側へ順に配置された、負レンズ、正レンズ、開口絞り、負レンズ、正レンズ、正レンズより構成されることを特徴とする請求項１乃至１１のいずれか１項に記載の光学系。
【請求項１３】
前記第２レンズ群に含まれる正レンズの中で最も物体側に配置された正レンズが、像ぶれ補正に際して光軸に対して垂直成分を含む方向に移動することを特徴とする請求項１乃至１２のいずれか１項に記載の光学系。
【請求項１４】
無限遠から近距離へのフォーカシングに際して前記第３レンズ群は像側に凸状の軌跡で移動することを特徴とする請求項１乃至１３のいずれか１項に記載の光学系。
【請求項１５】
請求項１乃至１４のいずれか１項に記載の光学系と、該光学系によって形成された像を受光する撮像素子を有することを特徴とする撮像装置。
【手続補正２】
【補正対象書類名】明細書
【補正対象項目名】００１０
【補正方法】変更
【補正の内容】
【００１０】
本発明の光学系は、物体側から像側へ順に配置された、正の屈折力の第１レンズ群、正の屈折力の第２レンズ群、負の屈折力の第３レンズ群より構成され、フォーカシングに際して隣り合うレンズ群の間隔が変化する光学系であって、
無限遠から近距離へのフォーカシングに際して、前記第１レンズ群と前記第２レンズ群の間隔が広がるように、前記第１レンズ群及び前記第２レンズ群が物体側へ移動し、
全系の焦点距離をｆ、前記第３レンズ群の焦点距離をｆ３とするとき、
０．５＜｜ｆ３｜／ｆ＜２．５
なる条件式を満たすことを特徴としている。
【手続補正３】
【補正対象書類名】明細書
【補正対象項目名】００１４
【補正方法】変更
【補正の内容】
【００１４】
本発明の光学系は、物体側より像側へ順に配置された、正の屈折力（光学的パワー＝焦点距離の逆数）の第１レンズ群、正の屈折力の第２レンズ群、負の第３レンズ群より構成され、フォーカシングに際して隣り合うレンズ群の間隔が変化する。無限遠物体（無限遠）から近距離物体（近距離）へのフォーカシングに際して、第１レンズ群と第２レンズ群は、双方のレンズ群の間隔が広くなるようにいずれも物体側へ移動する。
【手続補正４】
【補正対象書類名】明細書
【補正対象項目名】００２５
【補正方法】変更
【補正の内容】
【００２５】
所定の結像倍率を確保し、諸収差を良好に補正するために、物体側から像側へ順に配置された、正の屈折力の第１レンズ群Ｂ１、正の屈折力の第２レンズ群Ｂ２、負の屈折力の第３レンズ群Ｂ３を有するレンズ構成としている。第１レンズ群Ｂ１と、第２レンズ群Ｂ２が正の屈折力を有し、第３レンズ群Ｂ３が負の屈折力を有するレンズ構成とすることによって、レンズ全長の短いコンパクトな光学系を得ている。また、各レンズ群の屈折力配置を適切に設定することで全系のバックフォーカスの長さが適正な値となるようにしている。
【手続補正５】
【補正対象書類名】明細書
【補正対象項目名】００２６
【補正方法】変更
【補正の内容】
【００２６】
さらに、第１レンズ群Ｂ１を物体側から像側へ順に、負レンズＧ１Ｆｎと正レンズＧ１Ｆｐの２枚のレンズにより構成することで、全体をよりコンパクトな構成にしている。
【手続補正６】
【補正対象書類名】明細書
【補正対象項目名】００３０
【補正方法】変更
【補正の内容】
【００３０】
フォーカシングに際して、第２レンズ群Ｂ２が開口絞りＳＰと共に同一の軌跡で移動する構成とし、近距離物体にフォーカシングする際、絞り込みによる周辺照度の低下防いでいる。さらに、無限遠物体から近距離物体へのフォーカシングの際に、第１レンズ群Ｂ１と第２レンズ群Ｂ２の間隔が広がるように双方を物体側へ移動させることで、近距離物体にフォーカスしたときに画面周辺部で発生する（下線）フレアを効果的に抑制している。
【手続補正７】
【補正対象書類名】明細書
【補正対象項目名】００３７
【補正方法】変更
【補正の内容】
【００３７】
各実施例において更に好ましくは次の条件式を満足するのが良い。第１レンズ群Ｂ１の焦点距離をｆ１、第２レンズ群Ｂ２の焦点距離をｆ２とする。第１レンズ群Ｂ１は物体側から像側へ順に配置された、負レンズＧ１Ｆｎ、正レンズＧ１Ｆｐよりなり、負レンズＧ１Ｆｎの焦点距離をｆ１ｎ、正レンズＧ１Ｆｐの焦点距離をｆ１ｐとする。第３レンズ群Ｂ３の焦点距離をｆ３とする。
【手続補正８】
【補正対象書類名】明細書
【補正対象項目名】００３８
【補正方法】変更
【補正の内容】
【００３８】
第３レンズ群Ｂ３は物体側から像側へ順に配置された、正レンズＧ３Ｆｐ、負レンズＧ３Ｆｎよりなり、正レンズＧ３Ｆｐの焦点距離をｆ３ｐ、負レンズＧ３Ｆｎの焦点距離をｆ３ｎとする。無限遠物体にフォーカスしているときの第３レンズ群Ｂ３の横倍率をβ３とする。負レンズＧ３Ｆｎの物体側のレンズ面の曲率半径をＲ３１、像側のレンズ面の曲率半径をＲ３２とする。光学系は開口絞りＳＰを有し、光学系の結像倍率が−０．５倍のときのレンズ全長をＴＬｈ、光学系の結像倍率が−０．５倍のときの開口絞りＳＰから像面までの距離をＤＳＰｈとする。このとき次の条件式のうち１つ以上を満足するのが良い。
【手続補正９】
【補正対象書類名】明細書
【補正対象項目名】００４２
【補正方法】変更
【補正の内容】
【００４２】
第３レンズ群Ｂ３の中で最も像側に配置された負レンズＧ３Ｆｎは、像側に凸形状のメニスカス形状とするのが良く、これにより、無限遠物体にフォーカスしているときの歪曲収差等の軸外収差を良好に補正し、かつ全系の小型化を図りつつ高い光学性能を得ている。さらに第３レンズ群Ｂ３は、物体側から像側へ順に、正レンズと負レンズの２枚のレンズ構成とすることでフォーカシングに伴う像面湾曲の変動や非点収差を軽減している。そして、第３レンズ群Ｂ３の主点位置を像側へ近づけて、レンズ全長の短縮を容易にしている。
【手続補正１０】
【補正対象書類名】明細書
【補正対象項目名】００４５
【補正方法】変更
【補正の内容】
【００４５】
条件式（４）は、第１レンズ群Ｂ１の中で最も像側に配置された正レンズＧ１Ｆｐの焦点距離ｆ１ｐを第１レンズ群Ｂ１の最も物体側の負レンズＧ１Ｆｎの焦点距離ｆ１ｎで規定したもので、第１レンズ群Ｂ１中の屈折力配分を規定している。条件式（４）の上限を超えると、正レンズＧ１Ｆｐの正の屈折力が相対的に弱くなり、高い撮影倍率を得る際、全系が大型化してくる。条件式（４）の下限を超えると、正レンズＧ１Ｆｐの正の屈折力が相対的に強くなり、近距離物体へフォーカシングする際、軸外の主光線より下側の光線（下線）でコマ収差が多く発生してくる。
【手続補正１１】
【補正対象書類名】明細書
【補正対象項目名】００４６
【補正方法】変更
【補正の内容】
【００４６】
条件式（５）は、第３レンズ群Ｂ３の中で最も像側に配置された負レンズＧ３Ｆｎの焦点距離ｆ３ｎを第３レンズ群Ｂ３の焦点距離ｆ３で規定したもので、第３レンズ群Ｂ３中の屈折力配分を規定している。条件式（５）の上限を超えて、負レンズＧ３Ｆｎの負の屈折力が相対的に弱くなると（負の屈折力の絶対値が小さくなると）、レンズ全長が増大してくる。条件式（５）の下限を超えて、負レンズＧ３Ｆｎの負の屈折力が相対的に強くなると（負の屈折力の絶対値が大きくなると）、歪曲収差と像面湾曲を良好に補正することが難しくなる。
【手続補正１２】
【補正対象書類名】明細書
【補正対象項目名】００４７
【補正方法】変更
【補正の内容】
【００４７】
条件式（６）は、第３レンズ群Ｂ３の中で最も物体側に配置された正レンズＧ３Ｆｐの焦点距離ｆ３ｐを第３レンズ群Ｂ３の最も像側の負レンズＧ３Ｆｎの焦点距離ｆ３ｎで規定したもので、第３レンズ群Ｂ３中の屈折力配分を規定している。条件式（６）の上限を超えて、負レンズＧ３Ｆｎの負の屈折力が相対的に強くなると、像面湾曲がオーバーへ倒れてくる。条件式（６）の下限を超えて、負レンズＧ３Ｆｎの負の屈折力が相対的に弱くなると、歪曲収差と倍率色収差を良好に補正することが難しくなる。
【手続補正１３】
【補正対象書類名】明細書
【補正対象項目名】００５７
【補正方法】変更
【補正の内容】
【００５７】
各実施例において、第１レンズ群Ｂ１は物体側から像側へ順に配置された、負レンズ、正レンズより構成されている。また、第２レンズ群Ｂ２は物体側から像側へ順に配置された、負レンズ、正レンズ、開口絞り、負レンズ、正レンズ、正レンズより構成されている。これにより、全系の光学性能を良好に維持しつつ、フォーカシングに際しての収差変動を軽減している。また、像ぶれ補正に際して、第２レンズ群Ｂ２に含まれる正レンズの中で最も物体側に配置された正レンズが、光軸に対して垂直成分を含む方向に移動する。これにより、迅速なる像ぶれ補正を容易にしている。
【手続補正１４】
【補正対象書類名】明細書
【補正対象項目名】００６０
【補正方法】変更
【補正の内容】
【００６０】
又前述の各条件式と実施例１から３の関係をそれぞれ表１に示す。（絞り）は光束を制限する部材を意味している。焦点距離とＦナンバーを示す。半画角は光線追跡値による画角を示す。ＢＦはバックフォーカスである。レンズ全長は無限遠物体にフォーカスしているときの第１レンズ面から像面までの距離である。